(57)【特許請求の範囲】
【請求項１】
デュアルカメラを介してビューファインダ画面を取得した後、ユーザが前記ビューファインダ画面上で選択した合焦点を受信するステップと、
前記合焦点の位置に応じて、デュアルカメラの合焦距離を決定するステップと
を含み、
前記合焦点の位置に応じて、デュアルカメラの合焦距離を決定するステップは、
ユーザが選択した合焦点の各合焦点の位置に対応する被写界深度範囲内の合焦点数を取得するステップと、
前記合焦点数に基づいて、デュアルカメラの合焦距離を決定するステップとを含み、
前記合焦点数に基づいて、デュアルカメラの合焦距離を決定するステップは、
被写界深度範囲内で合焦点数が最も多い合焦点を目標合焦点として選択するステップと、
前記目標合焦点に対応する合焦距離をデュアルカメラの合焦距離とするステップとを含む
焦点取得方法。
【請求項２】
前記ユーザが選択した合焦点の各合焦点に対応する被写界深度範囲内の合焦点数を取得するステップは、
各合焦点と前記デュアルカメラとの間の物理的距離を取得するステップと、
各合焦点と前記デュアルカメラとの間の物理的距離に応じて、各合焦点に対応する合焦距離を決定するステップと、
前記各合焦点に対応する合焦距離に応じて、各合焦点の位置に対応する被写界深度範囲を決定するステップと、
ユーザが選択した合焦点の各被写界深度範囲内の合焦点数を取得するステップとを含む
請求項１に記載の方法。
【請求項３】
前記合焦点数に基づいて、デュアルカメラの合焦距離を決定するステップは、
各合焦点と前記デュアルカメラとの間の物理的距離を取得するステップと、
前記合焦点数及び前記物理的距離に基づいて、デュアルカメラの合焦距離を決定するステップとを含む
請求項１又は２に記載の方法。
【請求項４】
前記合焦点数及び前記物理的距離に基づいて、デュアルカメラの合焦距離を決定するステップは、
被写界深度範囲内で合焦点数が最も多い合焦点の数が少なくとも２つである場合に、前記デュアルカメラとの間の物理的距離が最も短い合焦点を目標合焦点として選択するステップと、
前記目標合焦点に対応する合焦距離をデュアルカメラの合焦距離とするステップとを含む
請求項３に記載の方法。
【請求項５】
ユーザがビューファインダ画面上で選択した合焦点の位置及び／又は数が変更されたことを検出した場合に、デュアルカメラの合焦距離を再決定するステップをさらに含む
請求項１に記載の方法。
【請求項６】
デュアルカメラを介してビューファインダ画面を取得した後、ユーザが前記ビューファインダ画面上で選択した合焦点を受信するように構成される受信モジュールと、
前記合焦点の位置に応じて、デュアルカメラの合焦距離を決定するように構成される決定モジュールと
を備え、
前記決定モジュールは、
ユーザが選択した合焦点の各合焦点の位置に対応する被写界深度範囲内の合焦点数を取得するように構成される第１の取得サブモジュールと、
前記合焦点数に基づいて、デュアルカメラの合焦距離を決定するように構成される決定サブモジュールとを備え、
前記決定サブモジュールは、
被写界深度範囲内で合焦点数が最も多い合焦点を目標合焦点として選択するように構成される第１の選択ユニットと、
前記目標合焦点に対応する合焦距離をデュアルカメラの合焦距離とするように構成される第３の決定ユニットとを備える
焦点取得装置。
【請求項７】
前記第１の取得サブモジュールは、
各合焦点と前記デュアルカメラとの間の物理的距離を取得するように構成される第１の取得ユニットと、
各合焦点と前記デュアルカメラとの間の物理的距離に応じて、各合焦点に対応する合焦距離を決定するように構成される第１の決定ユニットと、
前記各合焦点に対応する合焦距離に応じて、各合焦点の位置に対応する被写界深度範囲を決定するように構成される第２の決定ユニットと、
ユーザが選択した合焦点の各被写界深度範囲内の合焦点数を取得するように構成される第２の取得ユニットとを備える
請求項６に記載の装置。
【請求項８】
前記決定サブモジュールは、
各合焦点と前記デュアルカメラとの間の物理的距離を取得するように構成される第３の取得ユニットと、
前記合焦点数及び前記物理的距離に基づいて、デュアルカメラの合焦距離を決定するように構成される第４の決定ユニットとを備える
請求項６又は７に記載の装置。
【請求項９】
前記第４の決定ユニットは、
被写界深度範囲内で合焦点数が最も多い合焦点の数が少なくとも２つである場合に、前記デュアルカメラとの間の物理的距離が最も短い合焦点を目標合焦点として選択するように構成される第２の選択ユニットと、
前記目標合焦点に対応する合焦距離をデュアルカメラの合焦距離とするように構成される第５の決定ユニットとを備える
請求項８に記載の装置。
【請求項１０】
ユーザがビューファインダ画面上で選択した合焦点の位置及び／又は数が変更されたことを検出した場合に、デュアルカメラの合焦距離を再決定するように構成される制御モジュールをさらに備える
請求項６に記載の装置。
【請求項１１】
プロセッサに実行されることにより、請求項１から請求項５のいずれか１項に記載の焦点取得方法を実現するプログラム。
【請求項１２】
請求項１１に記載のプログラムが記録されている記録媒体。
【発明の詳細な説明】
【技術分野】
【０００１】
本発明は、通信分野に関するものであるが、これに限定されず、特に焦点取得方法及び装置、プログラムならびに記録媒体に関する。
【背景技術】
【０００２】
カメラ機能の開発に伴い、近景合焦のときは被写界深度が浅いため、例えば、花や枝などの複雑な画面に対して、単一点合焦は、そのうちの１つの位置の合焦のみを確保できるが、多点合焦は、合焦の正確性をより良好に確保できる。一方、固定式の多点合焦は、合焦点の位置の設定に対して動的調節を行うことができず、ある特殊な構図に対して合焦を行う場合に、依然として一定の限界が存在する。一眼レフカメラは、一般的に専用の合焦モジュールを用いて、異なる位置に合焦画素を配置して、位相合焦の方法で多点合焦を実現する。その合焦点はいずれも固定されて変更できない。
従来技術における多点合焦技術では、その合焦点の位置は一般的に固定式である。
【発明の概要】
【発明が解決しようとする課題】
【０００３】
以下は、本明細書で詳細に説明している主題の概要である。本概要は、特許請求の範囲を限定するものではない。
【０００４】
本発明は、デュアルカメラに基づく動的合焦を実現するための、焦点取得方法及び装置、プログラムならびに記録媒体を提供する。
【０００５】
従来技術における多点合焦技術では、その合焦点の位置は一般的に固定式であるが、本発明で実現される多点合焦位置は可変である。
【課題を解決するための手段】
【０００６】
本発明の実施例によれば、焦点取得方法が提供され、前記焦点取得方法は、デュアルカメラを介してビューファインダ画面を取得した後、ユーザが前記ビューファインダ画面上で選択した合焦点を受信するステップと、前記合焦点の位置に応じて、デュアルカメラの合焦距離を決定するステップとを含む。
【０００７】
選択的に、前記合焦点の位置に応じて、デュアルカメラの合焦距離を決定するステップは、ユーザが選択した合焦点の各合焦点の位置に対応する被写界深度範囲内の合焦点数を取得するステップと、前記合焦点数に基づいて、デュアルカメラの合焦距離を決定するステップとを含む。
【０００８】
選択的に、前記ユーザが選択した合焦点の各合焦点に対応する被写界深度範囲内の合焦点数を取得するステップは、各合焦点と前記デュアルカメラとの間の物理的距離を取得するステップと、各合焦点と前記デュアルカメラとの間の物理的距離に応じて、各合焦点に対応する合焦距離を決定するステップと、前記各合焦点に対応する合焦距離に応じて、各合焦点の位置に対応する被写界深度範囲を決定するステップと、ユーザが選択した合焦点の各被写界深度範囲内の合焦点数を取得するステップとを含む。
【０００９】
選択的に、前記合焦点数に基づいて、デュアルカメラの合焦距離を決定するステップは、被写界深度範囲内で合焦点数が最も多い合焦点を目標合焦点として選択するステップと、前記目標合焦点に対応する合焦距離をデュアルカメラの合焦距離とするステップとを含む。
【００１０】
選択的に、前記合焦点数に基づいて、デュアルカメラの合焦距離を決定するステップは、各合焦点と前記デュアルカメラとの間の物理的距離を取得するステップと、前記合焦点数及び前記物理的距離に基づいて、デュアルカメラの合焦距離を決定するステップとを含む。
【００１１】
選択的に、前記合焦点数及び前記物理的距離に基づいて、デュアルカメラの合焦距離を決定するステップは、被写界深度範囲内で合焦点数が最も多い合焦点の数が少なくとも２つである場合に、前記デュアルカメラとの間の物理的距離が最も短い合焦点を目標合焦点として選択するステップと、前記目標合焦点に対応する合焦距離をデュアルカメラの合焦距離とするステップとを含む。
【００１２】
選択的に、前記方法は、ユーザがビューファインダ画面上で選択した合焦点の位置及び／又は数が変更されたことを検出した場合に、デュアルカメラの合焦距離を再決定するステップをさらに含む。
【００１３】
本発明の実施例によれば、コンピュータ実行可能な命令が記録されたコンピュータ読み取り可能な記録媒体がさらに提供され、前記コンピュータ実行可能な命令が実行されるときに、上記の焦点取得方法が実現される。
【００１４】
本発明の実施例によれば、焦点取得装置がさらに提供され、前記焦点取得装置は、デュアルカメラを介してビューファインダ画面を取得した後、ユーザが前記ビューファインダ画面上で選択した合焦点を受信するように構成される受信モジュールと、前記合焦点の位置に応じて、デュアルカメラの合焦距離を決定するように構成される決定モジュールとを備える。
【００１５】
選択的に、前記決定モジュールは、ユーザが選択した合焦点の各合焦点の位置に対応する被写界深度範囲内の合焦点数を取得するように構成される第１の取得サブモジュールと、前記合焦点数に基づいて、デュアルカメラの合焦距離を決定するように構成される決定サブモジュールとを備える。
【００１６】
選択的に、前記第１の取得サブモジュールは、各合焦点と前記デュアルカメラとの間の物理的距離を取得するように構成される第１の取得ユニットと、各合焦点と前記デュアルカメラとの間の物理的距離に応じて、各合焦点に対応する合焦距離を決定するように構成される第１の決定ユニットと、前記各合焦点に対応する合焦距離に応じて、各合焦点の位置に対応する被写界深度範囲を決定するように構成される第２の決定ユニットと、ユーザが選択した合焦点の各被写界深度範囲内の合焦点数を取得するように構成される第２の取得ユニットとを備える。
【００１７】
選択的に、前記決定サブモジュールは、被写界深度範囲内で合焦点数が最も多い合焦点を目標合焦点として選択するように構成される第１の選択ユニットと、前記目標合焦点に対応する合焦距離をデュアルカメラの合焦距離とするように構成される第３の決定ユニットとを備える。
【００１８】
選択的に、前記決定サブモジュールは、各合焦点と前記デュアルカメラとの間の物理的距離を取得するように構成される第３の取得ユニットと、前記合焦点数及び前記物理的距離に基づいて、デュアルカメラの合焦距離を決定するように構成される第４の決定ユニットとを備える。
【００１９】
選択的に、前記第４の決定ユニットは、被写界深度範囲内で合焦点数が最も多い合焦点の数が少なくとも２つである場合に、前記デュアルカメラとの間の物理的距離が最も短い合焦点を目標合焦点として選択するように構成される第２の選択ユニットと、前記目標合焦点に対応する合焦距離をデュアルカメラの合焦距離とするように構成される第５の決定ユニットとを備える。
【００２０】
選択的に、前記装置は、ユーザがビューファインダ画面上で選択した合焦点の位置及び／又は数が変更されたことを検出した場合に、デュアルカメラの合焦距離を再決定するように構成される制御モジュールをさらに備える。
本発明の別の実施例によれば、プログラムが提供され、前記プログラムは、プロセッサに実行されることにより、上記の焦点取得方法を実現する。
本発明の別の実施例によれば、記録媒体が提供され、前記記録媒体には、上記のプログラムが記録されている。
【発明の効果】
【００２１】
本発明の実施例によれば、少なくとも２つの合焦点の位置を用いて、カメラの合焦位置を決定することで、合焦距離を動的に調節する目的を実現し、単一点又は多点合焦方法において、合焦点が固定されることによる合焦位置が理想的でない問題を解決し、且つ、ユーザが撮影のために合焦するときに、注目する位置に合焦点を設定すればよく、操作が便利で、よりユーザの操作習慣に適合する。
図面及び詳細な説明を読んで理解した後で、他の態様が分かる。
【図面の簡単な説明】
【００２２】
【図１】本発明の実施例に提供された焦点取得方法のフローチャートである。
【図２】本発明の実施例に提供されたデュアルカメラ携帯電話による多点合焦方法のフローチャートである。
【図３】本発明の実施例に提供された合焦点の位置を取得する模式図である。
【図４】本発明の実施例に提供された合焦点の位置の模式図である。
【図５】本発明の実施例に提供された予め設定した合焦点の位置の模式図である。
【図６】本発明の実施例に提供された焦点取得装置の構成図である。
【発明を実施するための形態】
【００２３】
以下、図面を併せて本発明の実施形態を説明する。なお、矛盾しない限り、本発明の実施例及び実施例における様々な方法は互いに組み合わせてもよい。
焦点を取得するアルゴリズムを考慮すると、画面のいずれの位置に対しても距離を算出できるので、合焦点の位置は任意に調節が可能である。したがって、どのようにしてデュアルカメラに基づく動的合焦を実現するかが早急に解決しなければならない問題となっている。
【００２４】
図１は、本発明の実施例に提供された焦点取得方法のフローチャートである。図１に示すように、当該方法は、下記のステップを含む。
【００２５】
ステップ１０１：デュアルカメラを介して（即ち、デュアルカメラ、ｄｕａｌ−ｃａｍｅｒａ）ビューファインダ画面を取得した後、ユーザがビューファインダ画面上で選択した合焦点を受信する。
ここで、ユーザが選択した合焦点の数は、１つであってもよく、少なくとも２つであってもよい。
ユーザは、ビューファインダ画面上で合焦点を任意に選択できる。
【００２６】
ステップ１０２：前記合焦点の位置に応じて、デュアルカメラの合焦距離（即ち、合焦点距離、Ｆｏｃｕｓ  Ｄｉｓｔａｎｃｅ）を決定する。
【００２７】
本発明の実施例に提供された方法によれば、合焦点の位置を用いて、カメラの合焦位置を決定することで、合焦距離を動的に調節する目的を実現し、単一点又は多点合焦方法において、合焦点が固定されることによる合焦位置が理想的でない問題を解決し、且つ、ユーザが撮影のために合焦するときに、注目する位置に合焦点を設定すればよく、操作が便利で、より一般的なユーザの操作習慣に適合する。
【００２８】
当該方法では、焦点距離とは、例えば、合焦点距離である。
移動端末は、デュアルカメラを備えることができ、ここで、２つのカメラの位置は固定されている。デュアルカメラを使用して画像を撮影し、画面における各位置のカメラまでの実際の距離を算出し、表示画面を介してビューファインダ画面をリアルタイムで表示し、タッチスクリーンを介してユーザが動的に設定した合焦点の位置を取得し、また、得られた合焦点の位置を用いてデュアルカメラの焦点距離を算出できる。
【００２９】
選択的に、前記合焦点の位置に応じて、デュアルカメラの合焦距離を決定するステップは、ユーザが選択した合焦点の各合焦点の位置に対応する被写界深度範囲内の合焦点数を取得するステップと、前記合焦点数に基づいて、デュアルカメラの合焦距離を決定するステップとを含んでもよい。
合焦点数に基づいてデュアルカメラの合焦距離を決定することで、ユーザが撮影した画像がよりユーザの要求に適合するようにさせ、撮影の精度を向上させることができる。
【００３０】
選択的に、前記ユーザが選択した合焦点の各合焦点に対応する被写界深度範囲内の合焦点数を取得するステップは、各合焦点と前記デュアルカメラとの間の物理的距離を取得するステップと、各合焦点と前記デュアルカメラとの間の物理的距離に応じて、各合焦点に対応する合焦距離を決定するステップと、前記各合焦点に対応する合焦距離に応じて、各合焦点の位置に対応する被写界深度範囲を決定するステップと、ユーザが選択した合焦点の各被写界深度範囲内の合焦点数を取得するステップとを含んでもよい。
【００３１】
選択的に、前記各合焦点に対応する合焦距離と前記各合焦点の物理的距離との差が最小であってもよい。もちろん、他の数値を合焦点の対角距離として選択してもよい。
【００３２】
選択的に、前記合焦点数に基づいて、デュアルカメラの合焦距離を決定するステップは、被写界深度範囲内で合焦点数が最も多い合焦点を目標合焦点として選択するステップと、前記目標合焦点に対応する合焦距離をデュアルカメラの合焦距離とするステップとを含んでもよい。
被写界深度範囲内で合焦点数が最も多い合焦点を目標合焦点として選択することで、撮影されたピクチャに含まれるユーザが選択した合焦点の数が最も多くなるようにして、撮影効果を有効に向上することができる。
【００３３】
選択的に、前記合焦点数に基づいて、デュアルカメラの合焦距離を決定するステップは、各合焦点と前記デュアルカメラとの間の物理的距離を取得するステップと、前記合焦点数及び前記物理的距離に基づいて、デュアルカメラの合焦距離を決定するステップとを含んでもよい。
ここで、物理的距離に応じて合焦距離を決定することで、撮影される画像のサイズを確保して、撮影効果を確保できる。
【００３４】
選択的に、前記合焦点数及び前記物理的距離に基づいて、デュアルカメラの合焦距離を決定するステップは、被写界深度範囲内で合焦点数が最も多い合焦点の数が少なくとも２つである場合に、前記デュアルカメラとの間の物理的距離が最も短い合焦点を目標合焦点として選択するステップと、前記目標合焦点に対応する合焦距離をデュアルカメラの合焦距離とするステップとを含んでもよい。
【００３５】
選択的に、前記方法は、ユーザがビューファインダ画面上で選択した合焦点の位置及び／又は数が変更されたことを検出した場合に、デュアルカメラの合焦距離を再決定するステップをさらに含んでもよい。
【００３６】
選択的に、移動端末のカメラ機能を起動して多点合焦撮影モードに入った後、カメラを撮影目標に位置合わせすると、ビューファインダ画面が表示画面にリアルタイムで表示され、このとき、ユーザはタッチ選択方法で表示画面上で不等な数の合焦点の位置を選定でき、それに応じて、合焦点の位置に応じて焦点距離を算出できる。
【００３７】
選択的に、ユーザが１つの合焦点をタッチ選択又はキャンセルした場合に、焦点距離を再計算できる。
【００３８】
以上から分かるように、本発明の実施例によれば、現在の合焦距離に対応するカメラの被写界深度範囲内における総合焦点数が最も多くて、且つ合焦距離が最も短くなるような、１つの合焦距離を見つけることができる。合焦距離の計算が完了した後、カメラ内のモータを駆動して合焦を実行でき、合焦が完了する毎に、１つの合焦ループが完了したものとみなすことができる。ユーザは合焦ループを任意に何回も実行できる。
【００３９】
図２は、本発明の実施例に提供されたデュアルカメラ携帯電話による多点合焦方法のフローチャートである。図２に示すように、当該方法は、下記のステップを含んでもよい。
【００４０】
ステップ２０１：カメラ多点合焦撮影モードに入る。
ステップ２０２：ユーザがビューファインダ画面上で選定した合焦点を取得する。
【００４１】
図３は、本発明の実施例に提供された合焦点の位置を取得する模式図であり、図３に示すように、必要な位置に対して、タッチスクリーンをタッチ選択する方法で合焦点の位置を設定又はキャンセルすることができ、これにより、新たな合焦点が設定されたか否か、又は既に設定された合焦点がキャンセルされたか否かを決定できる。
【００４２】
ここで、ユーザが合焦点を設定又はキャンセルする操作を行った後、既に設定されてキャンセルされていない合焦点をユーザが最終的に選定した合焦点の位置とすることができ、具体的に、図４を参照して、図４は、本発明の実施例に提供された合焦点の位置の模式図である。
【００４３】
ステップ２０３：合焦点の位置に応じて、デュアルカメラの焦点距離を算出する。
ステップ２０４：焦点距離に応じて、合焦操作を実行する。
ここで、カメラモータを駆動することで合焦を実施してから、ユーザの次回の操作を再待機できる。
【００４４】
以下、例を挙げて焦点距離の計算について説明する。
本例では、下記のステップによって焦点距離を算出できる。
【００４５】
ステップＡ０１：ユーザが設定した合焦点の位置及び実際に測定した合焦点とカメラとの間の物理的距離を入力する。ここで、合焦点と物理的距離とは一対一で対応してもよい。
【００４６】
ステップＡ０２：合焦点が対応する物理的距離の小から大への順序に従って配列されるように、対応する物理的距離の大きさに基づいて合焦点を並べ替える。合焦点をＰ［１］，Ｐ［２］，…，Ｐ［ｎ］とし、それに対応する物理的距離をＬ［１］，Ｌ［２］，…，Ｌ［ｎ］とすることができ、この場合、Ｌ［１］≦Ｌ［２］≦…≦Ｌ［ｎ］となる。
【００４７】
ステップＡ０３：カメラの光学原理に従って、特定の合焦位置ｆに対して、いずれも特定の対応する被写界深度範囲ｆｍｉｎ〜ｆｍａｘがあり、ここで、被写界深度範囲内の全ての合焦点を実際の合焦点とみなすことができる。いずれか１つの合焦点Ｐ［ｍ］（それに対応する物理的距離をＬ［ｍ］，ｍ＝１，２，…，ｎとする）に対して、ｆ［ｍ］とＬ［ｍ］との差が最も小さくなるような、１つの特定の合焦距離ｆ［ｍ］を見つけることができる。このとき、被写界深度範囲をＦｍｉｎ〜Ｆｍａｘとすることができ、この場合、Ｆｍｉｎ≦Ｌ［ｍ］≦Ｆｍａｘとなる。全ての合焦点の物理的距離Ｌ［１］，Ｌ［２］，…，Ｌ［ｎ］を走査し、合焦点の物理的距離がＦｍｉｎ〜Ｆｍａｘ内に入る場合に、当該合焦点が合焦範囲内にあるとみなし、このとき合焦範囲内にある全ての合焦点数をｘ［ｍ］として記録し、合焦範囲内の合焦点番号を記録できる。
【００４８】
ステップＡ０４：全ての合焦点に対して上記のステップを実行することにより、合焦点数の数字シーケンスｘ［１］，ｘ［２］，…，ｘ［ｎ］が得られ、比較することにより、シーケンス中の最大値ｘ［ｍａｘ］、及びそれに対応する合焦点Ｐ［ｍａｘ］に対応する合焦距離ｆ［ｍａｘ］、即ち算出された合焦距離を見つけることができる。最大値が複数ある場合に、最大値に対応する合焦距離において最も短い合焦距離を最終的に決定した合焦距離とすることができる。
【００４９】
ここで、合焦点の位置を特定の位置に予め設定することができ、具体的に、図５を参照して、ここで、図５は、本発明の実施例に提供された予め設定した合焦点の位置の模式図である。もちろん、ユーザは、また、実際の合焦需要に応じて、合焦点を増加又はキャンセルでき、これにより、ユーザの操作をより便利にさせることができる。
【００５０】
以上から分かるように、本発明の実施例に提供された多点合焦位置を動的に調節する方法によれば、従来技術における単一点又は多点合焦方法において、合焦点が固定されることによる合焦位置が理想的でない問題を解決し、且つ、ユーザが撮影のために合焦するときに、注目する位置に合焦点を設定すればよく、操作が便利で、より一般的なユーザの操作習慣に適合する。
【００５１】
本発明の実施例によれば、コンピュータ実行可能な命令が記録されたコンピュータ読み取り可能な記録媒体がさらに提供され、前記コンピュータ実行可能な命令が実行されるときに、上記の焦点取得方法が実現される。
【００５２】
図６は、本発明の実施例に提供された焦点取得装置の構成図である。図６に示す装置は、デュアルカメラを介してビューファインダ画面を取得した後、ユーザが前記ビューファインダ画面上で選択した合焦点を受信するように構成される受信モジュール６０１と、前記合焦点の位置に応じて、デュアルカメラの合焦距離を決定するように構成される決定モジュール６０２とを備える。
【００５３】
選択的に、前記決定モジュール６０２は、ユーザが選択した合焦点の各合焦点の位置に対応する被写界深度範囲内の合焦点数を取得するように構成される第１の取得サブモジュールと、前記合焦点数に基づいて、デュアルカメラの合焦距離を決定するように構成される決定サブモジュールとを備えてもよい。
【００５４】
選択的に、前記第１の取得サブモジュールは、各合焦点と前記デュアルカメラとの間の物理的距離を取得するように構成される第１の取得ユニットと、各合焦点と前記デュアルカメラとの間の物理的距離に応じて、各合焦点に対応する合焦距離を決定するように構成される第１の決定ユニットと、前記各合焦点に対応する合焦距離に応じて、各合焦点の位置に対応する被写界深度範囲を決定するように構成される第２の決定ユニットと、ユーザが選択した合焦点の各被写界深度範囲内の合焦点数を取得するように構成される第２の取得ユニットとを備えてもよい。
【００５５】
選択的に、前記第１の決定ユニットが決定した合焦点に対応する合焦距離と前記合焦点の物理的距離との間の差が最小であってもよい。
【００５６】
選択的に、前記決定サブモジュールは、被写界深度範囲内で合焦点数が最も多い合焦点を目標合焦点として選択するように構成される第１の選択ユニットと、前記目標合焦点に対応する合焦距離をデュアルカメラの合焦距離とするように構成される第３の決定ユニットとを備えてもよい。
【００５７】
選択的に、前記決定サブモジュールは、各合焦点と前記デュアルカメラとの間の物理的距離を取得するように構成される第３の取得ユニットと、前記合焦点数及び前記物理的距離に基づいて、デュアルカメラの合焦距離を決定するように構成される第４の決定ユニットとを備えてもよい。
【００５８】
選択的に、前記第４の決定ユニットは、被写界深度範囲内で合焦点数が最も多い合焦点の数が少なくとも２つである場合に、前記デュアルカメラとの間の物理的距離が最も短い合焦点を目標合焦点として選択するように構成される第２の選択ユニットと、前記目標合焦点に対応する合焦距離をデュアルカメラの合焦距離とするように構成される第５の決定ユニットとを備えてもよい。
【００５９】
選択的に、前記装置は、ユーザがビューファインダ画面上で選択した合焦点の位置及び／又は数が変更されたことを検出した場合に、デュアルカメラの合焦距離を再決定するように構成される制御モジュールをさらに備えてもよい。
【００６０】
本発明の実施例に提供された装置によれば、少なくとも２つの合焦点の位置を用いて、カメラの合焦位置を決定することで、合焦距離を動的に調節する目的を実現し、単一点又は多点合焦方法において、合焦点が固定されることによる合焦位置が理想的でない問題を解決し、且つ、ユーザが撮影のために合焦するときに、注目する位置に合焦点を設定すればよく、操作が便利で、より一般的なユーザの操作習慣に適合する。
【００６１】
当業者であれば、上記実施例の全部又は一部のステップが、コンピュータプログラムプロセスにより実現されることができ、前記コンピュータプログラムが１つのコンピュータ読み取り可能な記録媒体に記録されることができ、前記コンピュータプログラムが対応するハードウェアプラットフォーム（例えば、システム、機器、装置、デバイス、プロセッサー等）で実行し、実行する時に方法の実施例のステップ中の１つ又はその組み合わせを含むことは理解できる。
【００６２】
選択的に、上記実施例の全部又は一部のステップは、集積回路を用いて実現することもでき、これらのステップは、各集積回路モジュールにそれぞれ製造され、又はそれらのうちの複数のモジュール又はステップを単一の集積回路モジュールに製造して実現することができる。
【００６３】
上記実施例における装置／機能モジュール／機能ユニットは、汎用の計算装置を用いて実現されることができ、それらは単一の計算装置に集中されてもよく、複数の計算装置により構成されたネットワークに分散されてもよい。
【００６４】
上記実施例における装置／機能モジュール／機能ユニットがソフトウェア機能モジュールにより実現され、且つ独立した製品として販売又は使用される場合には、１つのコンピュータ読み取り可能な記録媒体に記録されることができる。上述で言及されたコンピュータ読み取り可能な記録媒体は、読み取り専用メモリ（ＲＯＭ）、磁気ディスク又は光ディスク等であってもよい。
【００６５】
当業者であれば、本発明の技術手段の精神及び範囲内で、本発明の技術手段に対して変更又は置き換えを行うことができることが理解される。本発明の範囲は特許請求の範囲によって限定される。
【産業上の利用可能性】
【００６６】
本発明の実施例によれば、少なくとも２つの合焦点の位置を用いて、カメラの合焦位置を決定することで、合焦距離を動的に調節する目的を実現し、単一点又は多点合焦方法において、合焦点が固定されることによる合焦位置が理想的でない問題を解決し、且つ、ユーザが撮影のために合焦するときに、注目する位置に合焦点を設定すればよく、操作が便利で、よりユーザの操作習慣に適合する。 
【図１】
0006593941.tif 000002
【図２】
0006593941.tif 000003
【図３】
0006593941.tif 000004
【図４】
0006593941.tif 000005
【図５】
0006593941.tif 000006
【図６】
0006593941.tif 000007